(57)【特許請求の範囲】
【請求項１】
上位装置から入力された印刷ジョブに基づいて印刷を行う印刷装置であって、
複数ページからなる一連の印刷データをユーザからの指示に応じた回数分印刷させる印刷ジョブを受け付けた場合に、同一ページの印刷処理を前記指示に応じた回数分連続して実行したうえで後続ページの印刷処理を前記指示に応じた回数分実行するように処理する第１の印刷動作と、先頭ページから最終ページまでの印刷処理を一連の印刷処理として、前記指示に応じた回数分繰り返すように処理する第２の印刷動作を、前記印刷装置により選択的に実行可能にする、制御手段を有し、
前記制御手段は、
複数の排紙ビンを有する排紙装置を前記印刷装置が具備している場合に、前記第１の印刷動作と前記第２の印刷動作のうちの前記第２の印刷動作を前記印刷装置により実行可能にする一方で、複数の排紙ビンを有する排紙装置を前記印刷装置が具備していない場合であっても、前記印刷装置が、印刷データを蓄積可能な記憶手段を用いた印刷データの電子ソート処理を、実行可能な場合には、該記憶手段を用いて、前記第２の印刷動作を実行可能にし、
前記印刷装置が、複数の排紙ビンを有する排紙装置も具備しておらず、且つ、前記記憶手段を用いた印刷データの電子ソート処理も実行できない場合には、前記第１の印刷動作及び前記第２の印刷動作のうちの、前記第１の印刷動作を実行可能にする
ことを特徴とする印刷装置。
【請求項２】
前記制御手段は、前記印刷装置の機器構成情報を記憶可能な記憶手段が記憶している機器構成情報を参照することで、前記印刷装置が、複数の排紙ビンを有する排紙装置を具備している否かを確認する
ことを特徴とする請求項１に記載の印刷装置。
【請求項３】
前記印刷装置は、複数ページからなる一連の印刷データをユーザからの指示に応じた回数分印刷させる印刷ジョブを、前記上位装置としてのホストコンピュータから受け付け可能な印刷装置である
ことを特徴とする請求項１又は２に記載の印刷装置。
【請求項４】
前記ホストコンピュータにて、ユーザにより前記第１の印刷動作及び第２の印刷動作の何れかを選択する為の指定を実行可能にする
ことを特徴とする請求項３に記載の印刷装置。
【請求項５】
前記印刷装置は、ホストコンピュータおよびリーダ及びプリンタ等の複数の機器から構成されるシステム、或いは、複写機、ファクシミリ装置等の１つの機器からなる装置に適用可能である
ことを特徴とする請求項１乃至４の何れか１項に記載の印刷装置。
【請求項６】
上位装置から入力された印刷ジョブに基づいて印刷を行う印刷装置の制御方法であって、
複数ページからなる一連の印刷データをユーザからの指示に応じた回数分印刷させる印刷ジョブを前記印刷装置が受け付けた場合に、同一ページの印刷処理を前記指示に応じた回数分連続して実行したうえで後続ページの印刷処理を前記指示に応じた回数分実行するように処理する第１の印刷動作と、先頭ページから最終ページまでの印刷処理を一連の印刷処理として、前記指示に応じた回数分繰り返すように処理する第２の印刷動作を、前記印刷装置により選択的に実行可能にし、
複数の排紙ビンを有する排紙装置を前記印刷装置が具備している場合に、前記第１の印刷動作と前記第２の印刷動作のうちの前記第２の印刷動作を前記印刷装置により実行可能にする一方で、複数の排紙ビンを有する排紙装置を前記印刷装置が具備していない場合であっても、前記印刷装置が、印刷データを蓄積可能な記憶手段を用いた印刷データの電子ソート処理を、実行可能な場合には、該記憶手段を用いて、前記第２の印刷動作を実行可能にし、
前記印刷装置が、複数の排紙ビンを有する排紙装置も具備しておらず、且つ、前記記憶手段を用いた印刷データの電子ソート処理も実行できない場合に、前記第１の印刷動作及び前記第２の印刷動作のうちの、前記第１の印刷動作を実行可能にする
ことを特徴とする印刷装置の制御方法。
【請求項７】
前記印刷装置の機器構成情報を記憶可能な記憶手段の機器構成情報を参照することで、前記印刷装置が、複数の排紙ビンを有する排紙装置を具備している否かを確認する
ことを特徴とする請求項６に記載の印刷装置の制御方法。
【請求項８】
前記印刷装置は、複数ページからなる一連の印刷データをユーザからの指示に応じた回数分印刷させる印刷ジョブを、前記上位装置としてのホストコンピュータから受け付け可能な印刷装置である
ことを特徴とする請求項６又は７に記載の印刷装置の制御方法。
【請求項９】
前記ホストコンピュータにて、ユーザにより前記第１の印刷動作及び第２の印刷動作の何れかを選択する為の指定を実行可能にする
ことを特徴とする請求項８に記載の印刷装置の制御方法。
【請求項１０】
前記印刷装置は、ホストコンピュータおよびリーダ及びプリンタ等の複数の機器から構成されるシステム、或いは、複写機、ファクシミリ装置等の１つの機器からなる装置に適用可能である
ことを特徴とする請求項６乃至９の何れか１項に記載の印刷装置の制御方法。
【発明の詳細な説明】
【０００１】
本発明は、上位装置から入力された印刷ジョブに基づいて印刷を行う印刷装置及びその制御方法、コンピュータ可読メモリに関するものである。
【０００２】
【従来の技術】
昨今、インターネットの普及とともにパーソナルコンピュータ（以下、ＰＣと称する）の需要が増加している。ＰＣの増加とともに印刷装置の需要が高まり、高機能が求められている。その機能の一つとして、印刷ジョブ（印刷要求の単位をしめす）のコピー機能があげられる。
【０００３】
コピー機能は、印刷ジョブのデータを１回送信し、出力結果として複数部数の印刷ジョブのコピーを獲得することで、例えば、複数の人へ印刷ジョブのコピーを配布したりする場合に必要となる。
【０００４】
従来、この種のコピー機能を実現する際には、印刷装置で印刷ジョブを一部だけ記録媒体に出力し、その記録媒体を複写機でコピーするといった方法が一般的であった。しかしながら、印刷装置の高速化にともない、コピーする部数分の印刷ジョブも印刷装置で行っても出力時間がかからず、また、余計な手間もかからず、さらに複写による画質低下が避けられるというメリットにより、印刷装置のコピー機能へのニーズが高まっている。
【０００５】
従来の印刷装置においては、受信した印刷ジョブ一部に対して実際には複数部印刷するコピー機能が多数実現化されている。
【０００６】
印刷装置によるコピー機能は大きくページコピーと部数コピーの２つの種類が存在する。図１はページ単位でコピー処理を行うページコピー、図２は印刷ジョブ単位でコピー処理を行う部数コピーを説明するための模式図である。どちらも５ページから構成されている印刷ジョブを３部、コピー機能を使って出力する例である。図１、図２において、水平線は用紙を示しており、用紙は記録面を下にして排紙される。用紙の横にかかれている数字はページ番号を示している。
【０００７】
図１に示すページコピーでは、同じページを複数回記録したあとに、次のページの処理を行うという手順を繰り返すことによって、コピー処理を実現している。図２に示す部数コピーでは、印刷ジョブを一部印刷したあとに、もう一度印刷ジョブの印刷を行うという処理をコピー部数分だけ繰り返すことによって、コピー処理を実現している。
【０００８】
一般にレーザビームプリンタのような印刷装置では、用紙の搬送を途中で停止することが難しいので、通常１ページ分の印刷用メモリを保持し、１ページ分の印刷データの描画準備を整えてから印刷処理を行う。
【０００９】
このような構成において、ページコピーは１ページ分の印刷データの描画準備を整えた上で同一ページを複数回印刷するだけで済むため、余分な機器構成を必要とせずにコピー処理を実施可能である。しかし、複数部数コピーされた印刷ジョブを複数の人に渡すには、さらに手作業により並び替え（ソート）する必要があるため、手間が余分にかかる。
【００１０】
従来の印刷装置において、印刷ジョブの部数コピーを実現するには、以下の方法によって機器構成を追加する必要がある。
【００１１】
第１の方法として、印刷ジョブ一部のデータを蓄えておく記憶装置を用意し、印刷ジョブ一部分のデータを蓄えながら印刷ジョブの処理を行い、１印刷ジョブの処理が完了したら、再度記憶装置から印刷ジョブ一部分のデータを読み出し、印刷ジョブの処理を行う。この場合、印刷ジョブ一部のデータを蓄える必要があるので、比較的大容量のメモリあるいは２次記憶装置が必要となる。特に、このような部数コピー方法を電子ソートと呼んでいる。
【００１２】
第２の方法として、印刷ジョブの部数コピー方法は、ページコピーと同様で、排紙先を複数の排紙ビンに切り替えて排紙する方法があげられる。
【００１３】
図３は第２の方法によって行われた部数コピー処理の排紙結果を示す模式図である。図３において、細い水平線は用紙を示しており、太い水平線は排紙ビンを示している。用紙の横にかかれている数字はページ番号を示している。
【００１４】
複数排紙ビンを具備した印刷装置においては、任意のページの出力ビンを選択可能である。このような構成において、ページを描画処理し、ページ単位でコピーを行い、複数の排紙ビンにそれぞれ排紙を行えば、図３のように個々のビンに一部ずつ印刷ジョブが格納され、図２の部数コピーと同等の効果を得ることが可能である。この場合、複数排紙ビンが必要であり、また部数コピーは排紙ビンの個数に制限される。特に、このような部数コピー方法を機械ソートと呼んでいる。
【００１５】
このように、部数コピーは排紙後に手動による余計な並び替えを必要としないため、使用者の利便性は高められるが、第１の方法、第２の方法ともに機器構成に追加を加える必要がある。
【００１６】
【発明が解決しようとする課題】
従来の印刷装置においては、上位装置から印刷ジョブを送信する際に、ページコピー数、部数コピー数を指定させようとする場合、２つのパラメータを個別に設定する必要があり、使用者による設定を困難としていた。
【００１７】
また、部数コピーを行う場合、第１の方法では記憶装置、第２の方法では複数排紙ビンが必要であり、これらを具備していない印刷装置に部数コピー数を設定した印刷ジョブを送信しても所望の印刷結果が得られない場合があった。
【００１８】
本発明は上記の問題点に鑑みてなされたものであり、複数のコピーが指示されている印刷ジョブを効率的に印刷することができる印刷装置及びその制御方法、コンピュータ可読メモリを提供することを目的とする。
【００１９】
【課題を解決するための手段】
上記の目的を達成するための本発明による印刷装置は以下の構成を備える。即ち、
上位装置から入力された印刷ジョブに基づいて印刷を行う印刷装置であって、
複数ページからなる一連の印刷データをユーザからの指示に応じた回数分印刷させる印刷ジョブを受け付けた場合に、同一ページの印刷処理を前記指示に応じた回数分連続して実行したうえで後続ページの印刷処理を前記指示に応じた回数分実行するように処理する第１の印刷動作と、先頭ページから最終ページまでの印刷処理を一連の印刷処理として、前記指示に応じた回数分繰り返すように処理する第２の印刷動作を、前記印刷装置により選択的に実行可能にする、制御手段を有し、
前記制御手段は、
複数の排紙ビンを有する排紙装置を前記印刷装置が具備している場合に、前記第１の印刷動作と前記第２の印刷動作のうちの前記第２の印刷動作を前記印刷装置により実行可能にする一方で、複数の排紙ビンを有する排紙装置を前記印刷装置が具備していない場合であっても、前記印刷装置が、印刷データを蓄積可能な記憶手段を用いた印刷データの電子ソート処理を、実行可能な場合には、該記憶手段を用いて、前記第２の印刷動作を実行可能にし、
前記印刷装置が、複数の排紙ビンを有する排紙装置も具備しておらず、且つ、前記記憶手段を用いた印刷データの電子ソート処理も実行できない場合には、前記第１の印刷動作及び前記第２の印刷動作のうちの、前記第１の印刷動作を実行可能にする。
【００２０】
また、好ましくは、前記コピー方法は、前記印刷ジョブを部数単位でコピーする部数コピー、該印刷ジョブをページ単位でコピーするページコピーを少なくとも含む。
【００２１】
また、好ましくは、前記部数コピーは、印刷装置が有する複数排紙ビンを用いて前記部数コピーを行う機械ソートと、印刷装置が有する記憶部を用いて前記部数コピーを行う電子ソートを少なくとも含む。
【００２２】
また、好ましくは、前記選択手段は、当該印刷装置の構成として、当該印刷装置が複数排紙ビンを有しているか否かを判定する判定手段を備え、
前記コピー数情報及び前記判定手段の判定結果に基づいて、前記印刷ジョブのコピー方法を前記機械ソートによる前記部数コピーに選択する。
【００２３】
また、好ましくは、前記選択手段は、当該印刷装置の構成として、当該印刷装置が前記印刷ジョブを記憶する記憶部を有しているか否かを判定する判定手段を備え、
前記コピー数情報及び前記判定手段の判定の結果に基づいて、前記印刷ジョブのコピー方法を前記電子ソートによる前記部数コピーに選択する。
【００２４】
また、好ましくは、前記上位装置は、印刷対象の印刷ジョブのコピー数を指定する指定手段と
を備える。
【００２５】
また、好ましくは、前記上位装置は、前記ページコピー数及び前記部数コピー数のいずれかあるいはその両方を指定する指定手段と
を備える。
【００２６】
上記の目的を達成するための本発明による印刷装置の制御方法は以下の構成を備える。即ち、
上位装置から入力された印刷ジョブに基づいて印刷を行う印刷装置の制御方法であって、
複数ページからなる一連の印刷データをユーザからの指示に応じた回数分印刷させる印刷ジョブを前記印刷装置が受け付けた場合に、同一ページの印刷処理を前記指示に応じた回数分連続して実行したうえで後続ページの印刷処理を前記指示に応じた回数分実行するように処理する第１の印刷動作と、先頭ページから最終ページまでの印刷処理を一連の印刷処理として、前記指示に応じた回数分繰り返すように処理する第２の印刷動作を、前記印刷装置により選択的に実行可能にし、
複数の排紙ビンを有する排紙装置を前記印刷装置が具備している場合に、前記第１の印刷動作と前記第２の印刷動作のうちの前記第２の印刷動作を前記印刷装置により実行可能にする一方で、複数の排紙ビンを有する排紙装置を前記印刷装置が具備していない場合であっても、前記印刷装置が、印刷データを蓄積可能な記憶手段を用いた印刷データの電子ソート処理を、実行可能な場合には、該記憶手段を用いて、前記第２の印刷動作を実行可能にし、
前記印刷装置が、複数の排紙ビンを有する排紙装置も具備しておらず、且つ、前記記憶手段を用いた印刷データの電子ソート処理も実行できない場合に、前記第１の印刷動作及び前記第２の印刷動作のうちの、前記第１の印刷動作を実行可能にする。
【００２７】
上記の目的を達成するための本発明によるコンピュータ可読メモリは以下の構成を備える。即ち、
上位装置から入力された印刷ジョブに基づいて印刷を行う印刷装置の制御のプログラムコードが格納されたコンピュータ可読メモリであって、
前記印刷ジョブに含まれる該印刷ジョブのコピー数を示すコピー数情報を獲得する獲得工程のプログラムコードと、
前記コピー数情報及び当該印刷装置の構成に基づいて、前記印刷ジョブのコピー方法を選択する選択工程のプログラムコードと
を備える。
【００２８】
【発明の実施の形態】
以下、図面を参照して本発明の好適な実施形態を詳細に説明する。
［実施形態１］
図４は実施形態１の印刷装置の構成を示す模式図である。
【００２９】
図４において、４００は印刷装置、４５０は上位装置であるホストコンピュータを示しており、両者は、例えば、セントロニクス、ＵＳＢ等の所定インタフェースにより接続されている。
【００３０】
印刷装置４００において、データ送受信部４０１は、ホストコンピュータ４５０と印刷データの送受信を行う。ＣＰＵ４０２は、印刷装置の各種構成要素の制御を行う。プログラムＲＯＭ４０３は、ＣＰＵ４０２が実行する制御プログラムや文字データ等が格納している。また、当該印刷装置の機器構成に関する機器構成情報、例えば、複数排紙ビンの有無、印刷ジョブを記憶するためのジョブ記憶装置の有無等を示す情報を格納している。
【００３１】
データＲＡＭ４０４は、受信した印刷データを蓄えたり、描画データを一時的に蓄えるための記憶領域を有する。操作パネル４０５は、印刷装置４００の各種設定をユーザに変更させるためのものである。排紙ビン指定部４０６は、当該印刷装置に複数排紙ビンが搭載されている場合に、印刷ジョブのページを印刷する毎に排紙ビンを切り替える。
【００３２】
コピー数変換部４０７は、受信した印刷ジョブに含まれる当該印刷ジョブのコピー数を示すコピー数情報を受け取り、機器構成によりページコピーか部数コピーに割り当てる制御を行う。ジョブ記憶装置４０８は、電子ソートによる部数コピーを実現するために必要な大容量メモリあるいは２次記憶装置である。排紙装置部４１１は、排紙ビン指定部４０６の指定により実際に排紙ビンの移動を行う。プリンタエンジン部４１２、描画データを送信し、プリンタエンシン（不図示）を制御する。
【００３３】
ホストコンピュータ４５０は、アプリケーションプログラムの印刷要求に答えて印刷データを生成し、印刷装置４００へ送信するプリンタ制御部４５１から構成される。また、プリンタ制御部４５１は、印刷ジョブのコピー数を指定し、データに含ませるコピー数指定部４５２から構成される。
【００３４】
次に、コピー数変換部４０７の動作について、図５を用いて説明する。
【００３５】
図５は実施形態１のコピー数変換部の動作を説明するフローチャートである。
【００３６】
尚、コピー数変換部４０７は、ホストコンピュータ４５０から印刷ジョブが投入された時に起動される。
【００３７】
まず、ステップＳ５０１において、投入された印刷ジョブに含まれるコピー数情報を解析して該印刷ジョブのコピー数を獲得する。設定されていない場合には、操作パネル４０５で設定された初期値がコピー数として使用される。次に、ステップＳ５０２において、コピー数が１より大きいか否かを判定する。コピー数が１の場合（ステップＳ５０２でＮＯ）、コピー処理が行われないので、ただちに処理を完了する。一方、コピー数が１より大きい場合（ステップＳ５０２でＹＥＳ）、ステップＳ５０３に進む。
【００３８】
ステップＳ５０３において、複数排紙ビンが存在するか否かを判定する。尚、この判定は、プログラムＲＯＭに記憶されている機器構成情報をＣＰＵ４０２が参照して行う。判定の結果、複数排紙ビンが存在する場合（ステップＳ５０３でＹＥＳ）、ステップＳ５０４において、コピー数を機械ソートによる部数コピーに変換して完了する。一方、複数排紙ビンが存在しない場合（ステップＳ５０３でＮＯ）、ステップＳ５０５に進む。
【００３９】
ステップＳ５０５において、ジョブ記憶装置が存在するか否かを判定する。尚、この判定は、プログラムＲＯＭに記憶されている機器構成情報をＣＰＵ４０２が参照して行う。判定の結果、ジョブ記憶装置が存在する場合（ステップＳ５０５でＹＥＳ）、ステップＳ５０６において、電子ソートによる部数コピーに変換して完了する。一方、ジョブ記憶装置が存在しない場合（ステップＳ５０５でＮＯ）、ステップＳ５０７において、コピー数はページコピー数に変換され、処理が完了する。
【００４０】
以上のように、コピー数変換部４０７により、コピー数はページコピー数あるいは部数コピー数に変換される。ページコピー数はエンジン制御部４１０において、同一のページデータを複数回印刷することによって実現される。
【００４１】
一方、電子ソートによる部数コピーは、ジョブ記憶装置４０８から印刷ジョブデータを複数回読み込み印刷処理することによって実現される。また、機械ソートによる部数コピーは、ページコピーと同様、エンジン制御部４１０において、同一のページデータを複数回印刷し、なおかつ排紙ビン指定部４０６によってページ毎に排紙ビンを切り替えることによって実現される。
【００４２】
以上説明したように、実施形態１によれば、使用者はホストコンピュータ４５０において印刷ジョブを送信する時に、コピー方法に捕らわれずコピー数を設定するだけで、印刷装置４００は複数排紙ビンおよびジョブ記憶装置の有無によって、コピー方法をページコピー、機械ソートによる部数コピー、電子ソートによる部数コピーに自動的に変換する。そのため、使用者に機器構成を把握させることなく、その機器構成でもっとも印刷速度がはやく、なるべく仕分けを必要としない印刷結果を獲得できる。
［実施形態２］
実施形態１では、ホストコンピュータ４５０のコピー数指定部４５２によるコピー部数指定は１つのみであったが、コピー数指定部４５２でページコピー数と部数コピー数の両方を入力できるようにしてもよい。この場合のコピー数変換部４０７の動作について、図６を用いて説明する。
【００４３】
図６は実施形態２のコピー数変換部の動作を説明するフローチャートである。
【００４４】
まず、ステップＳ６０１において、投入された印刷ジョブに含まれるコピー数情報を解析して当該印刷ジョブのページコピー数を獲得する。設定されていない場合には、操作パネル４０５で設定された初期値がページコピー数として使用される。次に、ステップＳ６０２において、コピー数が１より大きいか否かを判定する。コピー数が１の場合（ステップＳ６０２でＮＯ）、ページコピー処理が行われないので、ステップＳ６０５に進む。一方、コピー数が１より大きい場合（ステップＳ６０２でＹＥＳ）、ステップＳ６０３において、ページコピー数を登録する。
【００４５】
続いて、ステップＳ６０４において、投入された印刷ジョブに含まれるコピー数情報を解析して当該印刷ジョブの部数コピー数を獲得する。設定されていない場合には、操作パネル４０５で設定された初期値が部数コピー数として使用される。ステップＳ６０５において、部数コピー数が１より大きいか否かを判定する。部数コピー数が１の場合（ステップＳ６０５でＮＯ）、部数コピーの設定は行われずに処理が完了する。一方、部数コピー数が１より大きい場合（ステップＳ６０５でＹＥＳ）、ステップＳ６０６に進む。
【００４６】
ステップＳ６０６において、複数排紙ビンが存在するか否かを判定する。尚、この判定は、プログラムＲＯＭに記憶されている機器構成情報をＣＰＵ４０２が参照して行う。判定の結果、複数排紙ビンが存在する場合（ステップＳ６０６でＹＥＳ）、ステップＳ６０７において、機械ソートによる部数コピーに変換して完了する。一方、複数排紙ビンが存在しない場合（ステップＳ６０６でＮＯ）、ステップＳ６０８に進む。
【００４７】
ステップＳ６０８において、ジョブ記憶装置が存在するか否かを判定する。尚、この判定は、プログラムＲＯＭに記憶されている機器構成情報をＣＰＵ４０２が参照して行う。判定の結果、ジョブ記憶装置が存在する場合（ステップＳ６０８でＹＥＳ）、ステップＳ６０９において、電子ソートによる部数コピーへ変換される。一方、ジョブ記憶装置が存在しない場合（ステップＳ６０８でＮＯ）、部数コピー数は設定されず、コピー部数変換処理は完了する。
【００４８】
以上説明したように、実施形態２によれば、使用者はホストコンピュータ４５０において印刷ジョブを送信する時に、部数コピーとページコピーについてそれぞれ部数指定が可能であり、印刷装置４００はそれぞれの指定に沿った印刷を行なう。そのため、印刷装置４００の構成に関わらず使用者の所望の印刷結果を獲得できる。
【００４９】
尚、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【００５０】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５１】
この場合、記憶媒体から読出されたプログラムコード自体が前述した実施形態の機能を実現することになり、そのプログラムコードを記憶した記憶媒体は本発明を構成することになる。
【００５２】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５４】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５５】
本発明を上記記憶媒体に適用する場合、その記憶媒体には、先に説明した図５、図６に示すフローチャートに対応するプログラムコードが格納されることになる。
【００５６】
【発明の効果】
以上説明したように、本発明によれば、複数のコピーが指示されている印刷ジョブを効率的に印刷することができる印刷装置及びその制御方法、コンピュータ可読メモリを提供できる。
【図面の簡単な説明】
【図１】ページコピーを説明するための概念図である。
【図２】部数コピーを説明するための概念図である。
【図３】機械ソートによる部数コピーを説明するための概念図である。
【図４】実施形態１の印刷装置の構成を示す模式図である。
【図５】実施形態１のコピー数変換部の動作を説明するフローチャートである。
【図６】実施形態２のコピー数変換部の動作を説明するフローチャートである。
【符号の説明】
４００  印刷装置
４０１  データ送受信部
４０２  ＣＰＵ
４０３  プログラムＲＯＭ
４０４  データＲＡＭ
４０５  操作パネル
４０６  排紙ビン指定部
４０７  コピー数変換部
４０８  ジョブ記憶装置
４１０  エンジン制御部
４１１  排紙装置部
４１２  プリンタエンジン部
４５０  ホストコンピュータ
４５１  プリンタ制御部
４５２  コピー数指定部
【図１】
0003684102.tif 000002
【図２】
0003684102.tif 000003
【図３】
0003684102.tif 000004
【図４】
0003684102.tif 000005
【図５】
0003684102.tif 000006
【図６】
0003684102.tif 000007